(57)【要約】  ＩＬＦＤ制御部５２０は、クロックカウンタ５５０により測定された分周信号及び基準信号の各周波数に基づいて制御パラメータを設定する。ＶＣＯ制御部５１０は、ＶＣＯ３０１の発振周波数を定める発振バンドを選択し、選択された発振バンドに応じてＶＣＯ３０１からの出力信号がＩＬＦＤ３０３及び分周器３０５によって分周された分周信号と基準信号との各周波数に基づいて、ＶＣＯ３０１の発振バンドを選択する。
2012120795.tif 000002
【特許請求の範囲】
【請求項１】
高周波信号を出力する電圧制御発振器と、
前記出力された高周波信号を分周する注入同期型分周器と、
前記分周された信号を基準信号の周波数に分周する分周器と、
前記分周器からの分周信号と前記基準信号とを比較し、位相と周波数の誤差を出力する位相周波数比較器と、
前記出力された位相と周波数の誤差を電流に変換するチャージポンプと、
前記変換された電流に応じて前記電圧制御発振器の制御電圧を生成し、生成された制御電圧を前記電圧制御発振器に印加するループフィルタと、
前記電圧制御発振器の発振周波数を定める発振バンドと、前記注入同期型分周器を所定の動作帯域において動作するための制御パラメータを調整するキャリブレーション回路とを備え、
前記キャリブレーション回路は、前記注入同期型分周器の制御パラメータを調整した後、前記調整された注入同期型分周器の分周信号に応じて前記電圧制御発振器の発振バンドを調整するＰＬＬ回路。
【請求項２】
請求項１に記載のＰＬＬ回路であって、
前記キャリブレーション回路は、
前記電圧制御発振器の動作を制御するＶＣＯ制御部と、
前記注入同期型分周器の動作を制御するＩＬＦＤ制御部と、を更に有し、
前記ＶＣＯ制御部は、前記ＩＬＤＦ制御部が前記注入同期型分周器の制御パラメータを調整する場合、前記電圧制御発振器を停止するＰＬＬ回路。
【請求項３】
請求項２に記載のＰＬＬ回路であって、
前記キャリブレーション回路は、
前記制御パラメータを含む制御信号に応じて分周された分周信号と前記基準信号との各周波数を測定するクロックカウンタと、を更に有し、
前記ＩＬＦＤ制御部は、前記測定された前記分周信号及び前記基準信号の各周波数が異なる場合、前記注入同期型分周器の前記制御パラメータを設定するＰＬＬ回路。
【請求項４】
請求項２に記載のＰＬＬ回路であって、
前記キャリブレーション回路は、
前記制御パラメータを含む制御信号に応じて分周された分周信号と前記基準信号との各周波数を測定するクロックカウンタと、を更に有し、
前記ＩＬＦＤ制御部は、
前記測定された前記分周信号及び前記基準信号の各周波数に基づいて、前記注入同期型分周器の前記制御パラメータを設定するＰＬＬ回路。
【請求項５】
請求項３又は４に記載のＰＬＬ回路であって、
前記ＶＣＯ制御部は、前記注入同期型分周器の前記制御パラメータの設定後に、前記電圧制御発振器の停止を解除し、前記電圧制御発振器の発振周波数を定める前記発振バンドを選択するＰＬＬ回路。
【請求項６】
請求項５に記載のＰＬＬ回路であって、
前記ＶＣＯ制御部は、前記選択された前記発振バンドに応じて前記電圧制御発振器から出力された信号が前記注入同期型分周器及び前記分周器によって分周された分周信号と前記基準信号との各周波数が異なる場合、前記電圧制御発振器の他の前記発振バンドを選択するＰＬＬ回路。
【請求項７】
請求項５に記載のＰＬＬ回路であって、
前記ＶＣＯ制御部は、前記選択された前記発振バンドに応じて前記電圧制御発振器から出力された信号が前記注入同期型分周器及び前記分周器によって分周された分周信号と前記基準信号との各周波数に基づいて、前記電圧制御発振器の前記発振バンドを選択するＰＬＬ回路。
【請求項８】
請求項６又は７に記載のＰＬＬ回路であって、
前記分周信号と前記基準信号との各周波数が近くなる場合における、前記電圧制御発振器の前記発振バンド及び前記注入同期型分周器の前記制御パラメータを保存するルックアップテーブルと、を更に有するＰＬＬ回路。
【請求項９】
高周波信号を出力する電圧制御発振器の動作を停止するステップと、
前記高周波信号を分周する注入同期型分周器の制御パラメータを含む制御信号に応じて分周された分周信号と所定の基準信号との各周波数を測定するステップと、
前記測定された前記分周信号及び前記基準信号の各周波数に基づいて、前記注入同期型分周器の前記制御パラメータを設定するステップと、
前記電圧制御発振器の停止を解除するステップと、
前記電圧制御発振器の発振周波数を定める前記発振バンドを選択するステップと、
前記選択された前記発振バンドに応じて前記電圧制御発振器から出力された信号が前記注入同期型分周器及び前記分周器によって分周された分周信号と前記基準信号との各周波数に基づいて前記電圧制御発振器の前記発振バンドを選択するステップと、を備えるキャリブレーション方法。
【請求項１０】
請求項１〜８のうちいずれか一項に記載のＰＬＬ回路と、
ベースバンドの送信信号を変調する変調部と、
前記ＰＬＬ回路により出力された第１局部信号と、前記変調された送信信号とを基にキャリア周波数に周波数変換する送信ミキサと、
前記ＰＬＬ回路により出力された第２局部信号と、受信信号とを基にベースバンドに周波数変換する受信ミキサと、
前記周波数変換された受信信号を復調する復調部と、を備える無線通信端末。
【発明の詳細な説明】
【技術分野】
【０００１】
本発明は、注入同期型分周器を用いたＰＬＬ回路、キャリブレーション方法及び無線通信端末に関する。
【背景技術】
【０００２】
近年普及している携帯可能な無線通信端末は、処理速度の高速化が求められ、無線通信における周波数シンセサイザとして高周波数帯域において動作するＰＬＬ（phase locked loop）回路が必須である。【０００３】
ＰＬＬ回路は、高周波数帯域の信号を低周波数帯域の信号まで分周する分周器を含む構成である。分周器として、１０ＧＨｚ以上の特に高い周波数帯域において高速動作が可能な注入同期型分周器（ＩＬＦＤ：Injection locked frequency divider）が用いられる。【０００４】
注入同期型分周器は、ロックレンジ（動作帯域）が狭く、広い周波数帯域において動作させるには、所望の周波数に合わせてロックレンジを制御するキャリブレーション方法が必要であった（例えば、特許文献１参照）。【０００５】
図１０は、特許文献１に記載された従来の注入同期型分周器を用いたＰＬＬ回路の回路構成図を示す。図１１は、特許文献１に記載された従来の注入同期型分周器を用いたＰＬＬ回路のキャリブレーションを説明するフローチャートである。【０００６】
図１０に示す様に、ＰＬＬ回路１００は、電圧制御発振器（ＶＣＯ：voltage controlled oscillator）１０１、注入同期型分周器１０３、分周器１０５、位相周波数比較器＋チャージポンプ１０８、ループフィルタ１１０、キャリブレーション回路１１４及びルックアップテーブル１１５を含む構成である。以下、電圧制御発振器を単に「ＶＣＯ」と記載する。【０００７】
ＰＬＬ回路１００において、ＶＣＯ１０１の発振による出力信号１０２が、注入同期型分周器１０３に注入（入力）され、１０ＧＨｚ程度の低い周波数信号１０４まで分周される。周波数信号１０４は、分周器１０５に入力され、分周器１０５により基準信号１０７の周波数まで分周される。【０００８】
位相周波数比較器＋チャージポンプ１０８は、分周器１０５からの出力信号（分周信号１０６）と基準信号１０７とを比較して、位相と周波数の誤差成分を電流１０９に変換する。電流１０９は、ループフィルタ１１０に入力される。ループフィルタ１１０は、入力された電流１０９に応じて、ＶＣＯ１０１の制御電圧１１２を生成する。【０００９】
制御電圧１１２は、ＶＣＯ１０１を制御することによって、位相周波数比較器＋チャージポンプ１０８において検波された誤差を小さくする。これにより、ＰＬＬ回路１００は、周波数負帰還動作する回路として動作する。【００１０】
キャリブレーション回路１１４は、基準信号１０７と分周器１０５からの分周信号１０６とを用いて、ＶＣＯ１０１の発振バンドの下において、注入同期型分周器１０３の制御信号１１３の制御値を調整する（キャリブレーション）。制御信号１１３により、注入同期型分周器１０３は、注入同期型分周器１０３のロックレンジの中心付近において動作可能となる。【００１１】
ＰＬＬ回路１００のキャリブレーションの手順を、図１０及び図１１を参照して説明する。【００１２】
キャリブレーション回路１１４は、バンド選択信号１１１を用いて、ＶＣＯ１０１の発振バンドを選択する（Ｓ２００）。バンド選択信号１１１は、キャリブレーション回路１１４から出力される。【００１３】
キャリブレーション回路１１４は、ＶＣＯ１０１の制御電圧１１２を設定する（Ｓ２０２）。例えば、キャリブレーション回路１１４は、所定値（例えば、Ｖｄｄ／２）を制御電圧１１２として設定する。【００１４】
キャリブレーション回路１１４は、注入同期型分周器１０３の制御信号１１３の制御値を変化した場合の分周信号１０６の周波数を測定する（Ｓ２０４）。【００１５】
キャリブレーション回路１１４は、注入同期型分周器１０３の制御信号１１３の制御値の変化に対する分周信号１０６の周波数の変化差分を計算する（Ｓ２０６）。【００１６】
キャリブレーション回路１１４は、ステップＳ２０６の計算結果を基に、ステップＳ２００において選択されたＶＣＯ１０１の発振バンドに対する注入同期型分周器１０３のロックレンジを特定する（Ｓ２０８）。【００１７】
キャリブレーション回路１１４は、ステップＳ２０８の確認結果を基に、選択されたＶＣＯ１０１の発振バンドの下において、注入同期型分周器１０３が自身のロックレンジの中心付近において動作可能となる制御信号１１３の制御値を選択する（Ｓ２１０）。キャリブレーション回路１１４は、ステップＳ２１０において選択された制御信号１１３の制御値をルックアップテーブル１１５に保存する。【００１８】
キャリブレーション回路１１４は、ＶＣＯ１０１における他の発振バンドを選択し、ステップＳ２０２〜ステップＳ２１０までの動作を繰り返す（Ｓ２１２）。これにより、ＰＬＬ回路１００は、ＶＣＯ１０１の各発振バンドに対する注入同期型分周器１０３の最適な制御信号１１３の制御値をルックアップテーブル１１５に保存できる。
【先行技術文献】
【特許文献】
【００１９】
【特許文献１】米国特許第７８５６２１２号明細書
【発明の概要】
【発明が解決しようとする課題】
【００２０】
図１２は、注入同期型分周器１０３の制御信号１１３の制御値（制御電圧）と、分周器１０５により分周された分周信号１０６の周波数との関係を示したグラフである。同図（ａ）は変化間隔を小さくした場合である。同図（ｂ）は変化間隔を大きくした場合である。【００２１】
注入同期型分周器１０３は、ロックレンジの周波数範囲では入力された制御信号１１３に同期して分周器として動作する。このため、ロックレンジの範囲では、分周信号１０６の周波数は、制御信号１１３の制御値の変化量に拘わらずほぼ一定となる。【００２２】
また、注入同期型分周器１０３は、ロックレンジ外の周波数範囲では、分周器として動作せずに所定のフリーラン周波数の信号を出力する。このため、ロックレンジ外の範囲では、分周信号１０６の周波数は、制御信号１１３の制御値の変化量に従って線形的に変化する。【００２３】
上述した特許文献１のＰＬＬ回路におけるキャリブレーション方法では、分周信号１０６の周波数の変化差分を基に注入同期型分周器１０３のロックレンジを特定するために、制御信号１１３の制御値を非常に小さい間隔にて変化させる必要がある。【００２４】
即ち、図１２（ａ）及び（ｂ）に示す様に、制御信号１１３の変化間隔（制御値の変化量）が小さい場合では、ロックレンジを特定できるものの、変化間隔を大きくした場合では、ロックレンジを特定することが困難になる。【００２５】
従って、注入同期型分周器１０３のロックレンジを高精度に特定するためには、制御信号１１３を非常に小さい間隔で変化させる必要があるため、計算回数が多くなり、ロックレンジを特定するには多くの時間が必要となる。【００２６】
また、各発振バンドにおいて動作を繰り返すため、発振バンド数の回数分がさらに計算が必要になるので、全体のキャリブレーション動作としては非常に多くの時間が必要となる。【００２７】
本発明は、上述した従来の事情に鑑みてなされたもので、短時間で注入同期型分周器をロックレンジにおいて動作可能とし、電圧制御発振器の発振バンドを適切に設定して所望の周波数を安定的に得るＰＬＬ回路、キャリブレーション方法及び無線通信端末を提供することを目的とする。
【課題を解決するための手段】
【００２８】
本発明は、上述したＰＬＬ回路であって、高周波信号を出力する電圧制御発振器と、前記出力された高周波信号を分周する注入同期型分周器と、前記分周された信号を基準信号の周波数に分周する分周器と、前記分周器からの分周信号と前記基準信号とを比較し、位相と周波数の誤差を出力する位相周波数比較器と、前記出力された位相と周波数の誤差を電流に変換するチャージポンプと、前記変換された電流に応じて前記電圧制御発振器の制御電圧を生成し、生成された制御電圧を前記電圧制御発振器に印加するループフィルタと、前記電圧制御発振器の発振周波数を定める発振バンドと、前記注入同期型分周器を所定の動作帯域において動作するための制御パラメータを調整するキャリブレーション回路とを備え、前記キャリブレーション回路は、前記注入同期型分周器の制御パラメータを調整した後、前記調整された注入同期型分周器の分周信号に応じて前記電圧制御発振器の発振バンドを調整する。【００２９】
また、本発明は、上述したキャリブレーション方法であって、高周波信号を出力する電圧制御発振器の動作を停止するステップと、前記高周波信号を分周する注入同期型分周器の制御パラメータを含む制御信号に応じて分周された分周信号と所定の基準信号との各周波数を測定するステップと、前記測定された前記分周信号及び前記基準信号の各周波数に基づいて前記注入同期型分周器の前記制御パラメータを設定するステップと、前記電圧制御発振器の停止を解除するステップと、前記電圧制御発振器の発振周波数を定める前記発振バンドを選択するステップと、前記選択された前記発振バンドに応じて前記電圧制御発振器から出力された信号が前記注入同期型分周器及び前記分周器によって分周された分周信号と前記基準信号との各周波数に基づいて前記電圧制御発振器の前記発振バンドを選択するステップと、を備える。【００３０】
更に、本発明は、上述した無線通信端末であって、上述したいずれかのＰＬＬ回路と、ベースバンドの送信信号を変調する変調部と、前記ＰＬＬ回路により出力された第１局部信号と、前記変調された送信信号とを基にキャリア周波数に周波数変換する送信ミキサと、前記ＰＬＬ回路により出力された第２局部信号と、受信信号とを基にベースバンドに周波数変換する受信ミキサと、前記周波数変換された受信信号を復調する復調部と、を備える。
【発明の効果】
【００３１】
本発明によれば、短時間で注入同期型分周器をロックレンジにおいて動作可能とし、電圧制御発振器の発振バンドを適切に設定して所望の周波数を安定的に得ることができる。
【図面の簡単な説明】
【００３２】
【図１】実施の形態１のＰＬＬ回路の内部構成を示したブロック図
【図２】実施の形態１のＰＬＬ回路のキャリブレーション回路の内部構成を示したブロック図
【図３】実施の形態１のＰＬＬ回路を含む無線通信端末の構成を示したブロック図
【図４】実施の形態１のＰＬＬ回路のキャリブレーション回路の動作を説明するフローチャート
【図５】実施の形態１の注入同期型分周器の注入信号周波数に対する最小注入電力の特性（ロックレンジ特性）を示す図
【図６】実施の形態１のＶＣＯの制御電圧に対するＶＣＯの発振周波数特性と、注入同期型分周器のロックレンジとを示すグラフ
【図７】実施の形態１のＶＣＯの隣接する各発振バンドにおける分周信号の周波数差分（ｆＮ−ｆＮ−１）を示すグラフ
【図８】実施の形態２のＰＬＬ回路のキャリブレーション回路の動作を説明するフローチャート
【図９】実施の形態２のＶＣＯの制御電圧に対するＶＣＯの発振周波数特性と、注入同期型分周器のロックレンジとを示すグラフ
【図１０】従来の注入同期型分周器を用いたＰＬＬ回路の回路構成図
【図１１】従来の注入同期型分周器を用いたＰＬＬ回路のキャリブレーションを説明するフローチャート
【図１２】注入同期型分周器１０３の制御信号１１３の制御値（制御電圧）と、分周器１０５により分周された分周信号１０６の周波数との関係を示したグラフ、（ａ）変化間隔を小さくした場合のグラフ、（ｂ）変化間隔を大きくした場合のグラフ
【発明を実施するための形態】
【００３３】
以下、本発明に係るＰＬＬ回路の実施の形態を、図面を参照して説明する。また、本発明は、ＰＬＬ回路のキャリブレーション回路の処理（ステップ）をキャリブレーション方法として表現できる。更に、本発明は、ＰＬＬ回路を局部信号源として含む無線通信端末として表現できる。
【００３４】
（実施の形態１）
図１は、実施の形態１のＰＬＬ回路３００の内部構成を示したブロック図である。図２は、実施の形態１のＰＬＬ回路３００のキャリブレーション回路３１４の内部構成を示したブロック図である。
【００３５】
ＰＬＬ回路３００の構成について説明する。
【００３６】
図１に示す様に、ＰＬＬ回路３００は、電圧制御発振器（ＶＣＯ）３０１、注入同期型分周器３０３、分周器３０５、位相周波数比較器３０８ａ（ＰＦＤ：phase and frequency detector）、チャージポンプ（ＣＰ：charge pump）３０８ｂ、ループフィルタ３１０、キャリブレーション回路３１４及びルックアップテーブル３１５を含む構成である。
【００３７】
なお、ＰＬＬ回路３００において、位相周波数比較器３０８ａ及びチャージポンプ３０８ｂは、別々に構成されているが、図５に示す様に一体として構成されても良い。
【００３８】
ＰＬＬ回路３００の動作について説明する。
【００３９】
電圧制御発振器（ＶＣＯ）３０１は、キャリブレーション回路３１４からのＶＣＯオンオフ信号３１６の入力に応じて、電圧制御発振器として動作（稼働）し又はその稼働を停止する。
【００４０】
例えば、ＶＣＯオンオフ信号３１６の内容が「ＶＣＯ３０１をオン」では、ＶＣＯ３０１は、ＶＣＯオンオフ信号３１６の入力に応じて、電圧制御発振器として稼働する。
【００４１】
例えば、ＶＣＯオンオフ信号３１６の内容が「ＶＣＯ３０１をオフ」では、ＶＣＯ３０１は、ＶＣＯオンオフ信号３１６の入力に応じて、電圧制御発振器としての稼働を停止する。
【００４２】
ＶＣＯ３０１は、電圧制御発振器として稼動している間、ループフィルタ３１０からの制御電圧３１２と、キャリブレーション回路３１４からのバンド選択信号３１１と、に応じて選択された発振バンド（図６参照）に基づいた発振周波数特性に従って発振する。
【００４３】
ＶＣＯ３０１は、発振周波数の発振により、高周波の出力信号を注入同期型分周器３０３に出力する。なお、高周波の出力信号３０２は、図３に示す第１局部信号及び第２局部信号として送信ミキサ５０ａ及び受信ミキサ５０ｂにそれぞれ入力される。
【００４４】
注入同期型分周器（ＩＬＦＤ）３０３は、キャリブレーション回路３１４からの制御信号３１３に応じて、ＶＣＯ３０１からの出力信号３０２の入力（注入）に同期して分周器として機能し、出力信号３０２を所定倍に分周する。注入同期型分周器３０３は、分周された分周信号３０４を分周器３０５に出力する。
【００４５】
分周器３０５は、注入同期型分周器３０３からの分周信号３０４を入力し、入力された分周信号３０４を所定倍に分周する。分周器３０５は、分周された分周信号３０６を位相周波数比較器３０８ａ及びキャリブレーション回路３１４に出力する。
【００４６】
位相周波数比較器３０８ａは、分周器３０５からの分周信号３０６と、図３に示す基準信号発振器ＢＬＯからの基準信号３０７とを比較する。位相周波数比較器３０８ａは、比較の結果、分周信号３０６と基準信号３０７とにおける位相及び周波数の誤差をチャージポンプ３０８ｂに出力する。
【００４７】
チャージポンプ３０８ｂは、位相周波数比較器３０８ａからの位相及び周波数の誤差を電流３０９に変換し、電流３０９をループフィルタ３１０に出力する。
【００４８】
ループフィルタ３１０は、チャージポンプ３０８ｂからの電流３０９に応じて、ＶＣＯ３０１の制御電圧を生成する。ループフィルタ３１０は、生成された制御電圧をＶＣＯ３０１に出力（印加）する。
【００４９】
キャリブレーション回路３１４の詳細な構成について説明する。
【００５０】
図２に示す様に、キャリブレーション回路３１４は、ＶＣＯ制御部５１０、ＩＬＦＤ制御部５２０、ＰＦＤ−ＣＰ制御部５３０及びクロックカウンタ５５０を含む構成である。
【００５１】
キャリブレーション回路３１４の詳細な動作について説明する。キャリブレーション回路３１４の各部には、基準信号３０７が入力されている。キャリブレーション回路３１４は、入力された基準信号３０７に基づいて動作する。
【００５２】
ＶＣＯ制御部５１０は、高周波信号を出力するＶＣＯ３０１の稼動（オン）又は停止（オフ）を制御する。ＶＣＯ制御部５１０は、ＶＣＯ３０１をオンするために、ＶＣＯ３０１をオンするＶＣＯオンオフ信号３１６をＶＣＯ３０１に出力する。ＶＣＯ制御部５１０は、ＶＣＯ３０１をオフするために、ＶＣＯ３０１をオフするＶＣＯオンオフ信号３１６をＶＣＯ３０１に出力する。
【００５３】
ＶＣＯ制御部５１０は、ＶＣＯ３０１が稼動している間、制御電圧３１２に応じたＶＣＯ３０１の発振周波数特性を定める発振バンド（図６参照）を選択するためのバンド選択信号３１１をＶＣＯ３０１に出力する。
【００５４】
ＶＣＯ制御部５１０は、ＶＣＯ３０１の発振バンドを選択し（バンド選択信号３１１）、発振バンド（バンド選択信号３１１）をルックアップテーブル３１５に保存する。
【００５５】
ＩＬＦＤ制御部５２０は、注入同期型分周器３０３の制御パラメータ（制御電圧３１３）を設定し、制御パラメータ（制御電圧３１３）をルックアップテーブル３１５に保存する。
【００５６】
ＩＬＦＤ制御部５２０は、注入同期型分周器３０３の発振周波数を調整するための制御パラメータの初期値を含む制御信号をＤＡＣ５２１に出力する。ＩＬＦＤ制御部５２０は、クロックカウンタ５５０の測定結果に応じて、注入同期型分周器３０３の分周信号における周波数を所望の周波数帯域に調整するための制御パラメータを変更する。ＩＬＦＤ制御部５２０は、変更された制御パラメータを含む制御信号をＤＡＣ５２１に出力する。
【００５７】
なお、ＩＬＦＤ制御部５２０には、制御パラメータの初期値が保存されている。この制御パラメータの初期値は、例えば注入同期型分周器３０３の発振周波数を、所望の周波数帯域にするために設定された値である。
【００５８】
ＤＡＣ（digital analog converter）５２１は、ＩＬＦＤ制御部５２０からの制御信号を入力し、入力された制御信号を注入同期型分周器３０３の発振周波数又は分周信号における周波数の制御電圧に変換する。ＤＡＣ５２１は、変換された制御電圧３１３を注入同期型分周器３０３に出力（印加）する。
【００５９】
ＰＦＤ−ＣＰ制御部５３０は、位相周波数比較器３０８ａ及びチャージポンプ３０８ｂの稼動（オン）又は停止（オフ）を制御する。ＰＦＤ−ＣＰ制御部５３０は、位相周波数比較器３０８ａ及びチャージポンプ３０８ｂをオンするために、オンとしてのＰＦＤ−ＣＰオンオフ信号３２０を位相周波数比較器３０８ａ及びチャージポンプ３０８ｂに出力する。
【００６０】
ＰＦＤ−ＣＰ制御部５３０は、位相周波数比較器３０８ａ及びチャージポンプ３０８ｂをオフするために、オフとしてのＰＦＤ−ＣＰオンオフ信号３２０を位相周波数比較器３０８ａ及びチャージポンプ３０８ｂに出力する。
【００６１】
ＰＦＤ−ＣＰ制御部５３０は、ＶＣＯ制御部５１０が発振バンドを選択するために、チャージポンプ３０８ｂからの出力（電流３０９）を設定値（後述参照）に固定するための制御信号３１９をチャージポンプ３０８ｂに出力する。
【００６２】
クロックカウンタ５５０は、基準信号３０７と、注入同期型分周器３０３からの分周信号３０４が分周器３０５によって分周された分周信号３０６と、が入力される。
【００６３】
クロックカウンタ５５０は、入力された基準信号３０７と分周信号３０６の各周波数を計測する。クロックカウンタ５５０の出力は、ＶＣＯ制御部５１０、ＩＬＦＤ制御部５２０及びＰＦＤ−ＣＰ制御部５３０に出力される。
【００６４】
例えば、基準信号３０７の周波数が１００ＭＨｚである場合に、クロックカウンタ５５０は、１００クロックの基準信号３０７をカウントする間、１１０クロックの分周信号３０６をカウントする。この場合、分周信号３０６の周波数は、１１０ＭＨｚとなる。
【００６５】
図３は、実施の形態１のＰＬＬ回路３００を含む無線通信端末１０００の概略構成図である。無線通信端末１０００は、基準信号発振器ＢＬＯ、ＰＬＬ回路３００、変調部４００、送信ミキサ５０ａ、受信ミキサ５０ｂ及び復調部５００を含む構成である。
【００６６】
ＰＬＬ回路３００は、基準信号発振器ＢＬＯからの出力信号（基準信号３０７）を入力し、入力された基準信号３０７を基に、所望の周波数の第１局部信号及び第２局部信号を、送信ミキサ５０ａ及び受信ミキサ５０ｂにそれぞれ出力する。なお、基準信号発振器ＢＬＯは、例えば水晶振動子を用いて構成可能である。
【００６７】
送信ミキサ５０ａは、変調部４００により変調されたベースバンドの送信信号と、ＰＬＬ回路３００により出力された第１局部信号とを入力する。送信ミキサ５０ａは、入力された送信信号と第１局部信号とを基にアップコンバートし、ベースバンドの送信信号（ＢＢ送信信号）を高周波送信信号（ＲＦ送信信号）に変換する。なお、この高周波送信信号は、図３に不図示のアンテナを介して送信される。
【００６８】
受信ミキサ５０ｂは、図３に不図示のアンテナを介して受信された高周波受信信号（ＲＦ受信信号）と、ＰＬＬ回路３００により出力された第２局部信号とを入力する。受信ミキサ５０ｂは、入力された高周波受信信号と第２局部信号とを基にダウンコンバートし、高周波受信信号をベースバンドの受信信号（ＢＢ受信信号）に変換する。なお、ベースバンドの受信信号は、復調部５００により送信信号に復調される。
【００６９】
図４は、実施の形態１のＰＬＬ回路３００のキャリブレーション回路３１４の動作を説明するフローチャートである。
【００７０】
キャリブレーション回路３１４は、ステップＳ４００〜Ｓ４１０において注入同期型分周器３０３のキャリブレーション、即ち注入同期型分周器３０３の制御パラメータを設定する。
【００７１】
キャリブレーション回路３１４は、ステップＳ４１２〜Ｓ４１８においてＶＣＯ３０１のキャリブレーション、即ち所望の周波数の出力信号（第１局部信号、第２局部信号）を得るためのＶＣＯ３０１の発振バンドを選択する。
【００７２】
（ＩＬＦＤのキャリブレーション）
図４において、ＶＣＯ制御部５１０は、ＶＣＯ３０１をオフする旨のＶＣＯオンオフ信号３１６をＶＣＯ３０１に出力する（Ｓ４００）。これにより、ＶＣＯ３０１は停止する。従って、注入同期型分周器３０３は、ＶＣＯ３０１からの出力信号に同期しないため、分周器としてではなく電圧制御発振器として稼動する。
【００７３】
ＩＬＦＤ制御部５２０は、注入同期型分周器３０３の発振周波数を調整するための制御パラメータの初期値を含む制御信号をＤＡＣ５２１に出力する（Ｓ４０２）。ＤＡＣ５２１は、ＩＬＦＤ制御部５２０からの制御信号を注入同期型分周器３０３の発振周波数の制御電圧３１３に変換し、制御電圧３１３を注入同期型分周器３０３に印加する（Ｓ４０２）。
【００７４】
ステップＳ４０２によって印加された制御電圧３１３に応じて、注入同期型分周器３０３の発振による出力信号が分周器３０５により分周された分周信号３０６と、基準信号３０７とが、クロックカウンタ５５０に入力される。
【００７５】
クロックカウンタ５５０は、基準信号３０７と、注入同期型分周器３０３からの分周信号３０４が分周器３０５によって分周された分周信号３０６とを入力し、入力された基準信号３０７及び分周信号３０６の各周波数を計測する（Ｓ４０４）。
【００７６】
分周信号３０６の周波数が予め規定された所望の周波数である場合には（Ｓ４０６、ＹＥＳ）、キャリブレーション回路３１４の処理はステップＳ４１０に進む。即ち、ＶＣＯ制御部５１０は、注入同期型分周器３０３の制御パラメータをルックアップテーブル３１５に保存する（Ｓ４１０）。これにより、キャリブレーション回路３１４による注入同期型分周器３０３のキャリブレーションは終了する。
【００７７】
分周信号３０６の周波数が予め規定された所望の周波数でない場合には（Ｓ４０６、ＮＯ）、キャリブレーション回路３１４の処理はステップＳ４０８に進む。即ち、ＩＬＦＤ制御部５２０は、クロックカウンタ５５０の出力を基に、注入同期型分周器３０３の発振周波数を所望の周波数帯域に調整するための制御パラメータを変更する（Ｓ４０８）。ＩＬＦＤ制御部５２０は、変更された制御パラメータを含む制御信号をＤＡＣ５２１に出力する。
【００７８】
ここで、所望の周波数とは基準信号の周波数に対して±数％以内の周波数となる。例えば、注入同期型分周器３０３の動作帯域（ロックレンジ）が６０ＧＨｚ付近を中心として±３ＧＨｚの範囲である場合、注入同期型分周器３０３の比動作帯域は±５％となる。
【００７９】
これは動作周波数ずれが比動作帯域において±５％以内であれば正常動作（ロック）することを意味している。ここで、基準信号３０７が１００ＭＨｚである場合は、所望の周波数が９５〜１０５ＭＨｚである場合に注入同期型分周器３０３は正常動作する。
【００８０】
ステップＳ４０８によって印加された制御電圧３１３に応じて、注入同期型分周器３０３の発振による出力信号が分周器３０５により分周された分周信号３０６と、基準信号３０７とが、クロックカウンタ５５０に入力される。
【００８１】
ステップＳ４０８の後、分周信号３０６の周波数が予め規定された所望の周波数となるまで、ステップＳ４０４，Ｓ４０６，Ｓ４０８が繰り返される。
【００８２】
（ＶＣＯのキャリブレーション）
図５は、実施の形態１の注入同期型分周器３０３の注入信号周波数に対する最小注入電力の特性を示すグラフであって、注入同期型分周器３０３の注入信号周波数に対するロックレンジ特性を示している。注入信号は、注入同期型分周器３０３に注入（入力）される信号３０２を表す。
【００８３】
制御信号３１３を変えることにより、注入同期型分周器３０３のロックレンジの周波数を調整できる。ここで、ロックレンジの周波数の中心は、おおよそ注入同期型分周器３０３が電圧制御発振器として動作（稼働）するフリーラン周波数の分周数倍の周波数となる。従って、分周器としてではなく電圧制御発振器としてのフリーラン周波数を調整することで、注入同期型分周器３０３のロックレンジの周波数を簡易に調整することができる。
【００８４】
ステップＳ４１０の後、ＶＣＯ制御部５１０は、注入同期型分周器３０３のキャリブレーションの間にオフしていたＶＣＯ３０１をオンするため、ＶＣＯ３０１をオンする旨のＶＣＯオンオフ信号３１６をＶＣＯ３０１に出力する（Ｓ４１２）。これにより、ＶＣＯ３０１は稼動する。
【００８５】
従って、注入同期型分周器３０３は、ＶＣＯ３０１からの出力信号に同期した場合に、出力信号を分周するための分周器として稼動する。
【００８６】
ＰＦＤ−ＣＰ制御部５３０は、ＶＣＯ制御部５１０がバンド番号に応じた発振バンドを選択する場合に、チャージポンプ３０８ｂからの電流３０９を設定値（例えば、ＶＤＤ／２）に固定するための制御信号３１９をチャージポンプ３０８ｂに出力する（Ｓ４１４）。
【００８７】
ＶＣＯ制御部５１０は、固定された電流３０９を基にループフィルタ３１０からの制御電圧３１２に応じたＶＣＯ３０１の発振周波数特性を定める、例えばバンド番号１の発振バンドを選択するためのバンド選択信号３１１をＶＣＯ３０１に出力する（Ｓ４１４）。ＶＣＯ３０１の発振バンドのバンド番号は、１からＮ（Ｎ：定数）までである（図６参照）。
【００８８】
ＶＣＯ３０１は、ＶＣＯ制御部５１０から出力されたバンド選択信号３１１に応じた発振バンドに従って、制御電圧３１２に応じた発振周波数の出力信号３０２を注入同期型分周器３０３に出力する。
【００８９】
注入同期型分周器３０３は、ステップＳ４１０において保存された制御パラメータに応じた制御電圧３１３を基に、ＶＣＯ３０１からの出力信号３０２の入力（注入）に同期して出力信号３０２を所定倍に分周する。注入同期型分周器３０３は、分周された分周信号３０４を分周器３０５に出力する。
【００９０】
分周器３０５は、注入同期型分周器３０３からの分周信号３０４を所定倍に分周し、分周された分周信号３０６を位相周波数比較器３０８ａ及びクロックカウンタ５５０に出力する。
【００９１】
クロックカウンタ５５０は、基準信号３０７と、分周器３０５によって分周された分周信号３０６とを入力し、入力された基準信号３０７と分周信号３０６の各周波数を計測する。ここで、キャリブレーション回路３１４の各部、ＶＣＯ３０１、注入同期型分周器３０３、分周器３０５、位相周波数比較器３０８ａ、チャージポンプ３０８ｂ及びループフィルタ３１０は、ＶＣＯ３０１の全ての発振バンドについて同様に動作する。これにより、ＶＣＯ制御部５１０は、Ｎ個の全ての発振バンドに対する各分周信号３０６の周波数の測定結果を入力する（Ｓ４１４）。
【００９２】
ＶＣＯ制御部５１０は、ステップＳ４１４によって測定されたＮ個の全ての発振バンドに対する各分周信号３０６の周波数の測定結果を基に、注入同期型分周器３０３がロックレンジ内において同期動作している発振バンドを検出する（Ｓ４１６）。
【００９３】
ロックレンジ内において同期動作している発振バンドの検出方法を、図６及び図７を参照して説明する。図６は、実施の形態１のＶＣＯ３０１の制御電圧３１２に対するＶＣＯ３０１の発振周波数特性と、注入同期型分周器３０３のロックレンジとを示すグラフである。バンド番号が増えると、ＶＣＯ３０１の発振周波数も単調増加する。
【００９４】
注入同期型分周器３０３のロックレンジは狭く、注入同期型分周器３０３は、ＶＣＯ３０１のＮ個の全ての発振バンドにおいては、ＶＣＯ３０１からの注入信号に対して同期動作できない。
【００９５】
図６に示す様に、所定値（例えば、ＶＤＤ／２）の制御電圧３１２に対するＶＣＯ３０１の発振周波数が所望周波数を含む所定の範囲（ロックレンジ）に存在する発振バンド、即ち、図６に示す太実線の発振バンドに対しては、注入同期型分周器３０３は、ＶＣＯ３０１からの注入信号に対して同期動作する。
【００９６】
図７は、実施の形態１のＶＣＯ３０１の隣接する各発振バンドにおける分周信号３０６の周波数差分（ｆＮ−ｆＮ−１）を示すグラフである。注入同期型分周器３０３が注入信号に対して同期動作、即ちロックレンジ内にて分周器として動作する場合、バンド番号が増えると分周信号３０６の周波数も単調増加する。このため、ロックレンジ内では、隣接するバンド番号における分周信号３０６の周波数差分が所定値（閾値）を超える。
【００９７】
また、ロックレンジ外では、注入同期型分周器３０３は、電圧制御発振器として動作し、即ち、フリーラン発振周波数の信号を出力する。このため、隣接するバンド番号における分周信号３０６の周波数差分はほとんどゼロであり、所定値（閾値）未満となる。
【００９８】
ＶＣＯ制御部５１０は、ステップＳ４１６では、隣接するバンド番号に対する分周信号３０６の周波数差分を演算し、所定値（閾値）を超えるバンド番号を基に、注入同期型分周器３０３が同期動作する、即ちロックレンジ内となるバンド番号を検出する。
【００９９】
ＶＣＯ制御部５１０は、ステップＳ４１６によって検出された発振バンドの中で、分周信号３０６の周波数が最も所望周波数に近い発振バンドをルックアップテーブル３１５に保存する（Ｓ４１８）。これにより、ＶＣＯ３０１のキャリブレーションは終了する。
【０１００】
ステップＳ４１８の後、ＰＦＤ−ＣＰ制御部５３０は、ステップＳ４１４におけるチャージポンプ３０８ｂの出力（電流３０９）の固定を解除する。これにより、キャリブレーション回路３１４によるＶＣＯ３０１のキャリブレーションは終了する。
【０１０１】
従って、ＰＬＬ回路３００は、キャリブレーション回路３１４による注入同期型分周器３０３の制御パラメータの設定及びＶＣＯ３０１の発振バンドの選択というキャリブレーションを終了する。
【０１０２】
以上により、実施の形態１のＰＬＬ回路３００によれば、プロセス、電源電圧又は周囲温度を含む条件が変動した場合でも、短時間で注入同期型分周器３０３をロックレンジにおいて動作可能とし、ＶＣＯ３０１の発振バンドを適切に設定して所望の周波数を安定的に得ることができる。
【０１０３】
従来の注入同期型分周器を用いたＰＬＬ回路のキャリブレーション方法を用いた場合のキャリブレーション時間は、次の様になる。具体的には、ＶＣＯの発振バンド数を例えば８（Ｎ＝８）とし、１発振バンドあたりの注入同期型分周器のロックレンジを特定するための計算回数（ポイント）を２１とする（図７（ａ）参照）。ＰＬＬ回路のキャリブレーション時間は、合計１６８（＝２１×８）ポイント計算する必要がある。
【０１０４】
一方で、本実施の形態１の注入同期型分周器３０３を用いたＰＬＬ回路３００のキャリブレーション方法を用いた場合のキャリブレーション時間は、次の様になる。具体的には、注入同期型分周器３０３のキャリブレーション（図４のＳ４００〜Ｓ４１０）では約３回、ＶＣＯ３０１の発振バンド数を例えば８（Ｎ＝８）とする。ＰＬＬ回路３００のキャリブレーション時間は、合計１１（＝３＋８）ポイントの計算が必要となる。これにより、従来の注入同期型分周器を用いたＰＬＬ回路のキャリブレーション時間に比べて、計算時間が約１／１５となり、高速なキャリブレーション、即ち短時間でＶＣＯ３０１及び注入同期型分周器３０３のキャリブレーションが可能となる。
【０１０５】
また、ＶＣＯ制御部５１０及びＰＦＤ−ＣＰ制御部５３０は、ステップＳ４００〜Ｓ４１０における注入同期型分周器３０３のキャリブレーションにおいて、電圧制御発振器３０１、位相周波数比較器３０８ａ及びチャージポンプ３０８ｂを停止しても良い。
【０１０６】
これにより、ＰＬＬ回路３００は、ステップＳ４００〜Ｓ４１０における注入同期型分周器３０３のキャリブレーションにおいて、キャリブレーションの消費電力を低減できる。
【０１０７】
同様に、ＰＦＤ−ＣＰ制御部５３０は、ステップＳ４１２〜Ｓ４１８におけるＶＣＯ３０１のキャリブレーションにおいて、位相周波数比較器３０８ａ及びチャージポンプ３０８ｂを停止しても良い。
【０１０８】
これにより、ＰＬＬ回路３００は、ステップＳ４１２〜Ｓ４１８におけるＶＣＯ３０１のキャリブレーションにおいて、キャリブレーションの消費電力を低減できる。
（実施の形態２）
図８は、実施の形態２のキャリブレーション回路３１４の動作を説明するフローチャートである。本実施の形態２のＰＬＬ回路３００及びキャリブレーション回路３１４の構成は実施の形態１と同一であるため説明を省略する。図８において、図４と同一構成部分には同一符号を付して重複箇所の説明を省略する。
【０１０９】
キャリブレーション回路３１４は、ステップＳ４２２〜Ｓ４３２においてＶＣＯ３０１のキャリブレーション、即ち所望周波数の出力信号（第１局部信号、第２局部信号）を得るためのＶＣＯ３０１の発振バンドを選択する。
【０１１０】
（ＩＬＦＤのキャリブレーション）
図８において、ステップＳ４００〜Ｓ４１０における注入同期型分周器３０３のキャリブレーション、即ち注入同期型分周器３０３の制御パラメータの設定手順は実施の形態１と同一であるため、説明を省略する。
【０１１１】
（ＶＣＯのキャリブレーション）
ステップＳ４１０の後、ＶＣＯ制御部５１０は、注入同期型分周器３０３のキャリブレーションの間にオフしていたＶＣＯ３０１をオンするため、ＶＣＯ３０１をオンする旨のＶＣＯオンオフ信号３１６をＶＣＯ３０１に出力する（Ｓ４２２）。これにより、ＶＣＯ３０１は稼動する。従って、注入同期型分周器３０３は、ＶＣＯ３０１からの出力信号に同期した場合に、出力信号を分周するための分周器として稼動する。
【０１１２】
ＰＦＤ−ＣＰ制御部５３０は、ＶＣＯ制御部５１０がバンド番号に応じた発振バンドを選択する場合に、チャージポンプ３０８ｂからの電流３０９を下限の設定値（例えば、０Ｖ）に固定するための制御信号３１９をチャージポンプ３０８ｂに出力する（Ｓ４２４）。
【０１１３】
ＶＣＯ制御部５１０は、固定された電流３０９を基にループフィルタ３１０からの制御電圧３１２に応じたＶＣＯ３０１の発振周波数特性を定める、例えばバンド番号１の発振バンドを選択するためのバンド選択信号３１１をＶＣＯ３０１に出力する（Ｓ４２４）。ＶＣＯ３０１の発振バンドのバンド番号は、１からＮ（Ｎ：定数）までである（図９参照）。
【０１１４】
ＶＣＯ３０１は、ＶＣＯ制御部５１０から出力されたバンド選択信号３１１に応じた発振バンドに従って、制御電圧３１２に応じた発振周波数の出力信号３０２を注入同期型分周器３０３に出力する。
【０１１５】
注入同期型分周器３０３は、ステップＳ４１０において保存された制御パラメータに応じた制御電圧３１３を基に、ＶＣＯ３０１からの出力信号３０２の入力（注入）に同期して出力信号３０２を所定倍に分周する。注入同期型分周器３０３は、分周された分周信号３０４を分周器３０５に出力する。
【０１１６】
分周器３０５は、注入同期型分周器３０３からの分周信号３０４を所定倍に分周し、分周された分周信号３０６を位相周波数比較器３０８ａ及びクロックカウンタ５５０に出力する。
【０１１７】
クロックカウンタ５５０は、基準信号３０７と、分周器３０５によって分周された分周信号３０６とを入力し、入力された基準信号３０７と分周信号３０６の各周波数を計測する。全ての発振バンドについて同じ操作を行い、周波数を測定する（Ｓ４２４）。ここで、キャリブレーション回路３１４の各部、ＶＣＯ３０１、注入同期型分周器３０３、分周器３０５、位相周波数比較器３０８ａ、チャージポンプ３０８ｂ及びループフィルタ３１０は、ＶＣＯ３０１の全ての発振バンドについて同様に動作する。これにより、ＶＣＯ制御部５１０は、Ｎ個の全ての発振バンドに対する各分周信号３０６の周波数の測定結果を入力する（Ｓ４２４）。
【０１１８】
ＶＣＯ制御部５１０は、ステップＳ４２４によって測定されたＮ個の全ての発振バンドに対する各分周信号３０６の周波数の測定結果を基に、注入同期型分周器３０３がロックレンジ内で同期動作している発振バンドを検出する（Ｓ４２６）。ステップＳ４２６における発振バンドの検出方法は図４に示すステップＳ４１６と同様のため、説明を省略する。
【０１１９】
ステップＳ４２６の後、ＰＦＤ−ＣＰ制御部５３０は、ＶＣＯ制御部５１０がバンド番号に応じた発振バンドを選択する場合に、チャージポンプ３０８ｂからの電流３０９を上限の設定値（例えば、電源電圧（ＶＤＤ））に固定するための制御信号３１９をチャージポンプ３０８ｂに出力する（Ｓ４２８）。
【０１２０】
ＶＣＯ制御部５１０は、固定された電流３０９を基にループフィルタ３１０からの制御電圧３１２に応じたＶＣＯ３０１の発振周波数特性を定める、例えばバンド番号１の発振バンドを選択するためのバンド選択信号３１１をＶＣＯ３０１に出力する（Ｓ４２８）。ＶＣＯ３０１の発振バンドのバンド番号は、１からＮ（Ｎ：定数）までである（図９参照）。
【０１２１】
ＶＣＯ３０１は、ＶＣＯ制御部５１０から出力されたバンド選択信号３１１に応じた発振バンドに従って、制御電圧３１２に応じた発振周波数の出力信号３０２を注入同期型分周器３０３に出力する。
【０１２２】
注入同期型分周器３０３は、ステップＳ４１０において保存された制御パラメータに応じた制御電圧３１３を基に、ＶＣＯ３０１からの出力信号３０２の入力（注入）に同期して出力信号３０２を所定倍に分周する。注入同期型分周器３０３は、分周された分周信号３０４を分周器３０５に出力する。
【０１２３】
分周器３０５は、注入同期型分周器３０３からの分周信号３０４を所定倍に分周し、分周された分周信号３０６を位相周波数比較器３０８ａ及びクロックカウンタ５５０に出力する。
【０１２４】
クロックカウンタ５５０は、基準信号３０７と、分周器３０５によって分周された分周信号３０６とを入力し、入力された基準信号３０７と分周信号３０６の各周波数を計測する。ここで、キャリブレーション回路３１４の各部、ＶＣＯ３０１、注入同期型分周器３０３、分周器３０５、位相周波数比較器３０８ａ、チャージポンプ３０８ｂ及びループフィルタ３１０は、ＶＣＯ３０１の全ての発振バンドについて同様に動作する。これにより、ＶＣＯ制御部５１０は、Ｎ個の全ての発振バンドに対する各分周信号３０６の周波数の測定結果を入力する（Ｓ４２８）。
【０１２５】
ＶＣＯ制御部５１０は、ステップＳ４２８によって測定されたＮ個の全ての発振バンドに対する各分周信号３０６の周波数の測定結果を基に、注入同期型分周器３０３がロックレンジ内において同期動作している発振バンドを検出する（Ｓ４３０）。ステップＳ４３０における発振バンドの検出方法は図４に示すステップＳ４１６と同様のため、説明を省略する。
【０１２６】
ＶＣＯ制御部５１０は、ステップＳ４２６とステップＳ４３０との両方において検出された発振バンドのうち、分周信号３０６の周波数が最も所望周波数に近い発振バンドをルックアップテーブル３１５に保存する（Ｓ４３２）。これにより、ＶＣＯ３０１のキャリブレーションは終了する。
【０１２７】
図９は、実施の形態２のＶＣＯ３０１の制御電圧に対するＶＣＯ３０１の発振周波数特性と、注入同期型分周器３０３のロックレンジとを示すグラフである。バンド番号が増えると、ＶＣＯ３０１の発振周波数も単調増加する。
【０１２８】
図９に示す様に、下限の所定値（例えば、０Ｖ）及び上限の所定値（例えば、電源電圧ＶＤＤ）の各制御電圧３１２に対するＶＣＯ３０１の発振周波数が所望周波数を含む所定の範囲（ロックレンジ）に存在する発振バンド、即ち、図９に示す太実線の発振バンドに対しては、注入同期型分周器３０３は、ＶＣＯ３０１からの注入信号に対して同期動作する。従って、ＶＣＯ３０１の制御電圧３１２の下限の設定値と上限の設定値の２箇所を基に、注入同期型分周器３０３のロックレンジとなる発振バンドを検出することで、より正確に同期動作している発振バンドを検出できる。
【０１２９】
ステップＳ４３２の後、ＰＦＤ−ＣＰ制御部５３０は、ステップＳ４２８におけるチャージポンプ３０８ｂの出力（電流３０９）の固定を解除する。これにより、キャリブレーション回路３１４によるＶＣＯ３０１のキャリブレーションは終了する。
従って、ＰＬＬ回路３００は、キャリブレーション回路３１４による注入同期型分周器３０３の制御パラメータの設定及びＶＣＯ３０１の発振バンドの選択というキャリブレーションを終了する。
以上により、実施の形態２のＰＬＬ回路３００によれば、プロセス、電源電圧又は周囲温度を含む条件が変動した場合でも、短時間でより正確に注入同期型分周器３０３をロックレンジにおいて動作可能とし、ＶＣＯ３０１の発振バンドを適切に設定して所望の周波数をより安定的に得ることができる。
【０１３０】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１３１】
上述した実施の形態１において、ＶＣＯ制御部５１０は、ＶＣＯ３０１を停止するために、ＶＣＯ３０１を停止する旨のオンオフ信号３１６をＶＣＯ３０１に出力した。
【０１３２】
例えば、ＶＣＯ３０１を停止するために、ＶＣＯ３０１と注入同期型分周器３０３との間にスイッチを設け、ＶＣＯ制御部５１０がＶＣＯオンオフ信号３１６をスイッチに出力しても良い。これにより、スイッチは、ＶＣＯ３０１と注入同期型分周器３０３との間を非導通する。即ち、ＶＣＯ３０１からの出力信号３０２が注入同期型分周器３０３に入力されなくなり、実施の形態１において説明した様に、ＶＣＯ３０１の停止と実質的に同一となる。
【０１３３】
なお、本出願は、２０１１年３月７日出願の日本特許出願（特願２０１１−０４９２１１）に基づくものであり、その内容はここに参照として取り込まれる。
【産業上の利用可能性】
【０１３４】
本発明は、携帯通信端末に使用されるＰＬＬ回路に利用可能であり、特に１０ＧＨｚ以上の周波数信号を分周できる注入同期型分周器を用いたＰＬＬ回路、キャリブレーション方法及び無線通信端末に有用である。
【符号の説明】
【０１３５】
３００  ＰＬＬ回路
３０１  電圧制御発振器
３０２  電圧制御発振器の発振信号
３０３  注入同期型分周器
３０４、３０６  分周信号
３０５  分周器
３０７  基準信号
３０８ａ  位相周波数比較器
３０８ｂ  チャージポンプ
３０９  電流
３１０  ループフィルタ
３１１  バンド選択信号
３１２  制御電圧
３１３、３１９  制御信号
３１４  キャリブレーション回路
３１５  ルックアップテーブル
３１６  ＶＣＯオンオフ信号
３２０  ＰＦＤ−ＣＰオンオフ信号
５１０  ＶＣＯ制御部
５２０  ＩＬＦＤ制御部
５２１  ＤＡＣ
５３０  ＰＦＤ−ＣＰ制御部
５５０  クロックカウンタ
【図１】
2012120795.tif 000003
【図２】
2012120795.tif 000004
【図３】
2012120795.tif 000005
【図４】
2012120795.tif 000006
【図５】
2012120795.tif 000007
【図６】
2012120795.tif 000008
【図７】
2012120795.tif 000009
【図８】
2012120795.tif 000010
【図９】
2012120795.tif 000011
【図１０】
2012120795.tif 000012
【図１１】
2012120795.tif 000013
【図１２】
2012120795.tif 000014
【国際調査報告】
2012120795.tif 000015
2012120795.tif 000016
2012120795.tif 000017